(57)【要約】      （修正有）【課題】安全ピン型電子式測定装置を提供する。【解決手段】センサバー１０が接触するとハウジング３０内に容易に引き入れられて人体を保護することができる安全ピン型電子式測定装置に関する。尖部１０ａに測定のためのセンサが設置されたピン型のセンサバー１０と、センサバー１０を測定位置と安全位置との間でスライドさせセンサバー１０のセンサ信号を回路側に接続させるためのセンサ接点と電源をオンにするための電源接点とを有するセンサバースライダー２０と、センサバー１０を収容するための空間とスライド溝が形成されてセンサバースライダー２０によるセンサバー１０の引き入れ、及び引き出しを行うことができ、センサバー１０を収容するための空間と隔壁によって分離されて回路素子を収容するための防水空間を有するハウジング３０から構成される。【選択図】図１
2011022127.tif 000002
【特許請求の範囲】
【請求項１】
尖部に測定のためのセンサが設置されたピン型のセンサバーと、
前記センサバーの尖部の反対側に前記センサバーと一体に連結されて前記センサバーを測定位置と安全位置との間でスライドさせ、前記センサバーのセンサ信号を回路側に接続させるためのセンサ接点と電源をオンにするための電源接点とを有するセンサバースライダーと、
前記センサバーを収容するための空間とスライド溝が形成されて前記センサバースライダーによる前記センサバーの引き入れ、及び引き出しを行うことができ、前記センサバーを収容するための空間と隔壁によって分離されて回路素子を収容するための防水空間を有するハウジングと、
測定位置で前記センサバースライダーと接触するように前記ハウジングの隔壁に設置され、前記センサバースライダーの電源接点とセンサ接点に対応する接点を有するセンサバー接続部と、
前記センサバースライダーと前記センサバー接続部が接触すると、電源部の電源を入力されてオンになり、前記センサバー接続部と前記センサバースライダーを介して前記センサバーのセンサと連結されて前記センサが感知した感知値を処理して測定値を出力する測定部と、
前記測定部の測定値を表示する表示部と、を含み、
測定のために前記センサバーがハウジングから引き出されると自動的に電源がオンになって温度や塩度を測定し、前記センサバーが人体と接触すると磁石によって前記ハウジング内に容易に引き入れられて人体を保護することができることを特徴とする安全ピン型電子式測定装置。
【請求項２】
前記安全ピン型電子式測定装置は、
前記センサバースライダーには移動磁石が設置され、
前記センサバー接続部には測定位置固定磁石が設置され、
前記ハウジングの隔壁には安全位置固定磁石が設置され、
前記センサバーが引き入れられると前記移動磁石が前記安全位置固定磁石と引き付け合って前記センサバーを安全位置に定着させ、前記センサバーが引き出されると前記移動磁石が前記測定位置固定磁石と引き付け合って前記センサバーを測定位置に定着させることで電源接点を導通させるとともにセンサ接点を連結することを特徴とする請求項１に記載の安全ピン型電子式測定装置。
【請求項３】
尖部に温度を測定するための温度センサが設置されたピン型の温度センサバーと、
前記温度センサバーの尖部の反対側に一体に連結されて前記温度センサバーを測定位置と安全位置との間でスライドさせ、前記温度センサを回路側に接続させるための温度センサ接点と電源をオンにするための電源接点とを有するセンサバースライダーと、
前記温度センサバーを収容するための空間とスライド溝が形成されて前記センサバースライダーによる前記温度センサバーの引き入れ、及び引き出しを行うことができ、前記温度センサバーを収容するための空間と隔壁によって分離されて回路素子を収容するための防水空間を有するハウジングと、
測定位置で前記センサバースライダーと接触するように前記ハウジングの隔壁に設置され、前記センサバースライダーの電源接点と温度センサ接点に対応する接点を有するセンサバー接続部と、
前記センサバースライダーと前記センサバー接続部が接触すると電源部の電源を入力されてオンになり、前記センサバー接続部と前記センサバースライダーを介して前記温度センサと連結されて前記温度センサが感知した感知値を処理して測定温度を出力する測定部と、
前記測定部の測定温度を表示する温度表示部と、を含み、
測定のために前記温度センサバーがハウジングから引き出されると自動的に電源がオンになって温度を測定し、前記温度センサバーが人体と接触すると磁石によって前記ハウジング内に容易に引き入れられて人体を保護することができることを特徴とする安全ピン型電子式温度測定装置。
【請求項４】
前記温度センサバーは、
バーの尖部に熱伝導特性が良好な金属片が付着されており、前記金属片の内部に温度センサがサーマルクリームと共に内蔵されており、前記金属片と前記バーとの間には金属片の熱がバー側に伝達されることを遮断させるための断熱材が挿入されて、前記温度センサと測定対象物の間の熱平衡が速かに行われることができるようになっていることを特徴とする請求項３に記載の安全ピン型電子式温度測定装置。
【請求項５】
前記温度センサバーは、
バーの尖部に熱伝導特性が良好な白金メッキされた胴が付着されており、前記銅の内部に温度センサがサーマルクリームと共に内蔵されており、前記バーは熱伝導特性の不良なステンレスからなって、前記温度センサと測定対象物の間の熱平衡が速かに行われるようになっていることを特徴とする請求項３に記載の安全ピン型電子式温度測定装置。
【請求項６】
安全ピン型電子式温度測定装置は、
前記センサバースライダーには移動磁石が設置され、
前記センサバー接続部は測定位置固定磁石が設置され、
前記ハウジングの隔壁には安全位置固定磁石が設置され、
前記温度センサバーが引き入れられると前記移動磁石が前記安全位置固定磁石と引き付け合って前記温度センサバーを安全位置に定着させ、前記温度センサバーが引き出されると前記移動磁石が前記測定位置固定磁石と引き付け合って前記温度センサバーを測定位置に定着させて電源接点を導通させるとともに温度センサ接点を連結することを特徴とする請求項３に記載の安全ピン型電子式温度測定装置。
【請求項７】
尖部に塩度を測定するための塩度センサが設置されたピン型の塩度センサバーと、
前記塩度センサバーの尖部の反対側に一体に連結されて前記塩度センサバーを測定位置と安全位置との間でスライドさせ、前記塩度センサを回路側に接続させるための塩度センサ接点と電源をオンにするための電源接点とを有するセンサバースライダーと、
前記塩度センサバーを収容するための空間とスライド溝が形成されて前記センサバースライダーによる前記塩度センサバーの引き入れ、及び引き出しを行うことができ、前記塩度センサバーを収容するための空間と隔壁によって分離されて回路素子を収容するための防水空間を有するハウジングと、
測定位置で前記センサバースライダーと接触するように前記ハウジングの隔壁に設置され、前記センサバースライダーの電源接点と塩度センサ接点に対応する接点を有するセンサバー接続部と、
前記センサバースライダーと前記センサバー接続部が接触すると電源部の電源を入力されてオンになり、前記センサバー接続部と前記センサバースライダーを介して前記塩度センサと連結されて前記塩度センサが感知した感知値を処理して測定温度を出力する測定部と、
前記測定部の測定温度を表示する温度表示部と、を含み、
測定のために前記塩度センサバーがハウジングから引き出されると自動的に電源がオンになって塩度を測定し、前記塩度センサバーが人体と接触すると磁石によって前記ハウジング内に容易に引き入れられて人体を保護することができることを特徴とする安全ピン型電子式塩度測定装置。
【請求項８】
前記塩度センサバーは、
バーの尖部に絶縁体を介在して導電性金属からなる一対の電極が連結されており、尖部電極内に温度センサがサーマルクリームと共に内蔵されており、一対の電極の間には交流信号が印加されて流れる電流によって塩度を測定できるようになっていることを特徴とする請求項７に記載の安全ピン型電子式塩度測定装置。
【請求項９】
前記安全ピン型電子式塩度測定装置は、
前記センサバースライダーには移動磁石が設置され、
前記センサバー接続部は測定位置固定磁石が設置され、
前記ハウジングの隔壁には安全位置固定磁石が設置され、
前記塩度センサバーが引き入れられると前記移動磁石が前記安全位置固定磁石と引き付け合って前記塩度センサバーを安全位置に定着させ、前記塩度センサバーが引き出されると前記移動磁石が前記測定位置固定磁石と引き付け合って前記塩度センサバーを測定位置に定着させて電源接点を導通させるとともに塩度センサ接点を連結することを特徴とする請求項７に記載の安全ピン型電子式塩度測定装置。
【発明の詳細な説明】
【技術分野】
【０００１】
本発明は温度や塩度などを測定する測定装置に関し、さらに詳しくは測定のためにセンサバーがハウジングから引き出されると自動的に電源がオンになって温度や塩度を測定し、センサバーが接触するとハウジング内に容易に引き入れられて体を保護できる安全ピン型電子式測定装置に関する。
【背景技術】
【０００２】
一般に、電子式温度計や塩分計などは対象物の温度を測定するために本体から長く突出したピン型のセンサバーを含む。このようなピン型のセンサバーは測定者が対象物とある程度の距離を維持できる作りになっているので高温の測定対象物などを測定しやすいが、ピン型のセンサバーはその長さが長く先端が尖るように形成されるため移動中や測定時に人体と接触すると刺される危険性がある。例えば、ステンレススチール材質の温度センサバーは針のように細いため危険な凶器と化す可能性があって子供や他人の接近が容易な家庭の台所では使用が事実上難しいという問題点がある。
【０００３】
また、従来の電子式温度計はセンサバーが長く尖るように形成されるので先端に位置する温度センサと本体の間には相当な距離差があって誤差が発生する。即ち、センサバー及びリード線の熱伝導率が良好なので測定を始める瞬間から感知された熱がリード線とセンサバーを伝って周りに分散しながら放熱されてしまい、センサバーが感知した温度値と実際の温度値との間に誤差が発生する。
【０００４】
したがって、このような電子式温度計の構造的な問題によって、正確な測定を行うためには測定物とセンサバーが常に所定時間以上接触状態を維持して測定対象の温度とセンサバーの温度が一致する熱平衡状態に到達しなければならないため、測定に時間がかかるという問題点がある。
【発明の概要】
【発明が解決しようとする課題】
【０００５】
本発明は電子式温度計の構造的な問題によって発生した従来の問題点を解決するために提案されたものであり、本発明の目的は、測定のためにセンサバーがハウジングから引き出されると自動的に電源がオンになって温度や塩度を測定し、センサバーが接触するとハウジング内に容易に引き入れられて人体を保護できる安全ピン型電子式測定装置を提供することにある。
【０００６】
本発明の他の目的は、温度を感知するセンサ部分を他の部分と断熱させて熱の分散を遮断することによって迅速かつ正確に温度を測定できる安全ピン型電子式測定装置を提供することにある。
【課題を解決するための手段】
【０００７】
前記のような目的を達成するために本発明の安全ピン型電子式測定装置は、尖部に測定のためのセンサが設置されたピン型のセンサバーと、前記センサバーの尖部の反対側に一体に連結されて前記センサバーを測定位置と安全位置との間でスライドさせ、前記センサバーのセンサ信号を回路側に接続させるためのセンサ接点と電源をオンにするための電源接点とを有するセンサバースライダーと、前記センサバーを収容するための空間とスライド溝が形成されて前記センサバースライダーによる前記センサバーの引き入れ、及び引き出しを行うことができ、前記センサバーを収容するための空間と隔壁によって分離されて回路素子を収容するための防水空間を有するハウジングと、測定位置で前記センサバースライダーと接触するように前記ハウジングの隔壁に設置され、前記センサバースライダーの電源接点とセンサ接点に対応する接点を有するセンサバー接続部と、前記センサバースライダーと前記センサバー接続部が接触すると、電源部の電源を入力されてオンになって前記センサバー接続部と前記センサバースライダーを介して前記センサバーのセンサと連結されて前記センサが感知した感知値を処理して測定値を出力する測定部と、前記測定部の測定値を表示する表示部と、を含むことを特徴とする。
【発明の効果】
【０００８】
本発明による安全ピン型電子式温度測定装置や塩度測定装置は、測定のためにセンサバーがハウジングから引き出されると自動的に電源がオンになって温度や塩度を測定し、センサバーが人体と接触すると磁石によってハウジング内に容易に引き入れられて人体を保護することができるので家庭でも安全に使用することができる効果がある。また、測定を行わない場合にはセンサバーをハウジング内に引き入れるので移動及び保管が便利で、センサバーでセンサ部分を他の部分と断熱させて熱の分散を遮断することによって迅速かつ正確に温度を測定できる。
【図面の簡単な説明】
【０００９】
【図１】本発明による安全ピン型電子式測定装置の概念を図示した概略図である。
【図２】本発明によってセンサバーが引き入れられた状態の安全ピン型電子式測定装置を図示した斜視図である。
【図３】本発明によってセンサバーが引き出された状態の安全ピン型電子式測定装置を図示した斜視図である。
【図４】本発明による安全ピン型電子式測定装置の使用状態を図示した概略図である。
【図５】本発明による安全ピン型電子式測定装置の内部構造を説明するための概略断面図である。
【図６】本発明による安全ピン型電子式測定装置のスライド構造を説明するための概略断面図である。
【図７】本発明による安全ピン型電子式温度計のセンサバーの第１実施の形態を示す図である。
【図８】本発明による安全ピン型電子式温度計のセンサバーの第２実施の形態を示す図である。
【図９】本発明による安全ピン型電子式温度計のセンサバー接続部を例示した図である。
【図１０】本発明による安全ピン型電子式温度計の構成ブロック図である。
【図１１】本発明による安全ピン型電子式塩分計のセンサバーを例示した図である。
【図１２】本発明による安全ピン型電子式塩分計のセンサバー接続部を例示した図である。
【図１３】本発明による安全ピン型電子式塩分計の構成ブロック図である。
【発明を実施するための形態】
【００１０】
本発明と本発明の実施によって達成される技術的課題は、次に説明する本発明の好ましい実施の形態によってより明確になるであろう。次の実施の形態は 本発明を説明するために例示したものにすぎず、本発明の範囲を制限するためのものではない。
【００１１】
図１は本発明による安全ピン型電子式測定装置の概念を図示した概略図である。
【００１２】
本発明による安全ピン型電子式測定装置１は、図１に図示するように、尖部１０ａに測定のためのセンサが設置されたピン型のセンサバー１０と、センサバー１０の尖部の反対側に一体に連結されてセンサバー１０をスライドさせ、センサバーのセンサ信号を回路側に接続させるためのセンサバースライダー２０と、センサバー１０を収容するための空間３１とスライド溝が形成されてセンサバースライダー２０によるセンサバー１０の引き入れ、及び引き出しを行うことができ、センサバー１０を収容するための空間と隔壁３３によって分離されて回路素子を収容するための防水空間３２を具備するハウジング３０と、隔壁３３に設置されセンサバースライダー２０と接触するセンサバー接続部４０と、センサバースライダー２０とセンサバー接続部４０が接触すると電源部７０の電源を入力されてオン（ＯＮ）にされ、センサバー接続部４０とセンサバースライダー２０を介してセンサバー１０のセンサと連結されてセンサが感知した測定値を処理する測定部５０と、測定部５０の測定値を表示する表示部６０と、から構成される。
【００１３】
図２は、本発明によってセンサバーが引き入れられた状態の安全ピン型電子式測定装置を図示した斜視図であり、図３は本発明によってセンサバーが引き出された状態の安全ピン型電子式測定装置を図示した斜視図であり、図４は本発明による安全ピン型電子式測定装置の使用状態を図示した概略図である。
【００１４】
本発明による安全ピン型電子式測定装置１は、図２に図示するようにハウジング３０の側面に形成されたスライド溝３４を介してセンサバー１０と連結されたノブ２１を後進させるとセンサバー１０が孔３５の内側のセンサバー収容空間３１に引き入れられてセンサバーの尖部１０ａが露出されなくなるので移動時に便利で、センサバーの尖部１０ａによって人体に怪我を負うことを防止できる。
【００１５】
本発明による安全ピン型電子式測定装置１は、ノブ２１を前進させると図３に図示するように、センサバー１０が孔３５の外部に引き出されて図４に図示するように測定対象物２を測定できる状態となる。センサバー１０が引き出されると図１に基づいて説明したようにセンサバースライダー２０とセンサバー接続部４０が接続されて測定部５０の電源が自動的にオンにされるとともに、センサの感知信号が測定部５０に伝達されて測定が行われ、測定結果による測定値が表示部６０に表示される。また、ノブ２１を後進させるとセンサバースライダー２０とセンサバー接続部４０が分離されて自動的に電源がオフにされる。
【００１６】
図５は本発明による安全ピン型電子式測定装置の内部構造を説明するための概略断面図であり、図６は本発明による安全ピン型電子式測定装置のスライド構造を説明するための概略断面図である。
【００１７】
ハウジング３０の内部に回路素子を収容するための防水空間３２とセンサバー１０を収容するためのセンサバー収容空間３１を具現する方式は多種多様であるが、隔壁３３によって空間を左右に区分する構造は、図５に図示するようにハウジングの内部空間を隔壁３３によって左右に区分した後、左側の空間は回路素子を収容するための防水空間３２とし、右側はセンサバー１０を収容するためのセンサバー収容空間３１として構成する。図面には図示していないが空間を隔壁によって上下に区分して上側を回路素子を収容するための防水空間として使用し、下側はセンサバー収容空間として使用することもできる。ハウジング３０はＬＣＤ６０を収容することで測定値を表示させることができるとともに、隔壁３３にインサート射出成形方式を用いてセンサバー接続部４０が形成されてセンサバースライダー２０との接触が行われるようになっている。
【００１８】
そして、本発明による安全ピン型電子式測定装置のスライド構造は、図６に図示するように、センサバースライダー２０の移動磁石２２とハウジングの隔壁３３に付着された二つの位置固定磁石４２、８２によってスライド領域でセンサバー１０が所定位置（安全位置と測定位置）に定着することができるようになっている。即ち、センサバー１０を引き入れると図６の（ａ）に示すようにセンサバースライダーの移動磁石２２が安全位置固定磁石８２と互いに引き付け合って安全位置に定着することで移動中にも揺れることがなくなり、ノブ２１を前進させてセンサバー１０を引き出すと図６の（ｂ）に示すようにセンサバースライダーの移動磁石２２が測定位置固定磁石４２と互いに引き付け合って測定位置に定着することでセンサバースライダー２０の接点部２３とセンサバー接続部４０の接点部４３とが互いに接触して測定部５０の電源をオンにするととともに、センサの感知信号を測定部５０側に伝達して測定を行わせる。
【００１９】
このような本発明の安全ピン型電子式測定装置１は、様々な種類の測定装置に適用され得るが、本発明の実施の形態では電子式温度計に適用した場合と電子式塩分計に適用した場合を例にあげて説明する。
【００２０】
［電子式温度計］
図７は本発明による安全ピン型電子式温度計のセンサバーの第１実施の形態であり、図８は本発明による安全ピン型電子式温度計のセンサバーの第２実施の形態であり、図９は本発明による安全ピン型電子式温度計のセンサバー接続部の一例であり、図１０は本発明による安全ピン型電子式温度計の構成ブロック図である。
【００２１】
本発明によって温度を測定するためのセンサバーは図７に図示するように、断熱材１１４によって温度センサ部分と他の部分が分離された構造の第１タイプのセンサバー１１０と、図８に図示するようにセンサバーの尖部１１０ａを温度伝達特性が良好な材質の金属１１７で形成してその中に温度センサ１１３を挿入し、他の部分は熱伝逹特性の悪い材質の金属１１６で形成する第２タイプのセンサバー１１０’として実施することができる。
【００２２】
図７に示すように、第１タイプのセンサバー１１０はバー１１１の尖部１１０ａに拡大図のように断熱材１１４を介在して良好な熱伝導性を有する熱伝導性金属１１２が連結されており、金属１１２内に温度センサ１１３がサーマルクリーム１１５と共に内蔵されている。したがって、第１タイプのセンサバー１１０を測定対象物に投入すると熱伝導性金属１１２によって温度センサ１１３に熱が速かに伝達されるとともに、断熱材１１４によってバー１１１との熱伝逹が遮断されるので温度センサ１１３は測定対象物との熱平衡状態に速かに到達して温度を迅速かつ正確に感知できる。
【００２３】
また、第２タイプのセンサバー１１０’は図８に図示するように、熱伝導特性が劣悪な金属材（例えば、アルミニウム）のバー１１６の尖部１１０ａに熱伝導性が良好な金属１１７が直接連結されており、金属１１７内に温度センサ１１３がサーマルクリーム１１５と共に内蔵されている。したがって、第２タイプのセンサバー１１０’を測定対象物に投入すると熱伝導性金属１１７によって温度センサ１１３に熱が速かに伝達されるとともに、バー１１６への熱伝逹はゆっくりと行われるので温度センサ１１３は測定対象物との熱平衡状態に速かに到達して温度を迅速かつ正確に感知できる。
【００２４】
そして、電子式温度計のセンサバースライダー１２０は図７及び図８に図示するように、センサバー１１０の端部に一体に付着された本体１２２に移動磁石１２３、電源導通接点１２４、及び温度センサ接点１２５が設置されており、本体１２２の反対側にはノブ１２１がハウジングのガイド溝を介在して付着されてセンサバー１１０をガイド溝に沿ってスライドさせることができるとともに、測定位置でセンサバー接続部１４０と接触するようになっている。
【００２５】
センサバー接続部１４０は図９に図示するように、ハウジングの隔壁３３にインサート射出成形方式を用いて形成されており、センサバースライダー１２０の構造に対応して基板１４１に測定位置固定磁石１４２、電源接点１４３、及び温度センサ接点１４４が露出している。
【００２６】
したがって、センサバー１１０が測定位置に位置すると、移動磁石１２３と測定位置固定磁石１４２が互いに引き付け合って導通接点１２４が電源接点１４３の間を導通させて電源をオンにし、温度センサ接点１２５が温度センサ接点１４４と接触して温度センサの信号を温度測定部１５０に伝達させる。
【００２７】
本発明による電子式温度計１００は、図７乃至図１０に図示するように、尖部１１０ａに温度測定のための温度センサ１１３が設置されたピン型のセンサバー１１０と、センサバー１１０の尖部の反対側に一体に連結されてセンサバー１１０をスライドさせ、センサバー１１０の温度センサ信号を回路側に接続させるためのセンサバースライダー１２０と、センサバー１１０を収容するための空間３１とスライド溝３４が形成されてセンサバースライダー１２０によるセンサバーの引き入れ、及び引き出しを行うことができ、センサバー１１０を収容するための空間と隔壁３３によって分離されて回路素子を収容するための防水空間３２を具備するハウジング３０と、隔壁に設置されてセンサバースライダーと接触されるセンサバー接続部１４０と、センサバースライダー１２０とセンサバー接続部１４０が接触すると電源部７０の電源を入力されてオンになってセンサバー接続部１４０とセンサバースライダー１２０を介してセンサバーの温度センサと連結されて温度センサが感知した感知値を処理して温度を測定する温度測定部１５０と、温度測定部１５０の測定温度値を表示する温度表示部１６０と、から構成される。
【００２８】
このような本発明の電子式温度計１００は、センサバー１１０が引き出されて測定位置に位置すると、図１０に図示するようにバッテリ電源７２が電源部７０でＶｃｃ電源に安定化した後、電源接点１４３と導通接点１２４を介して温度測定部１５０に印加されることで温度測定部１５０がオンになり、温度測定部１５０は温度センサ接点１２４、１４４を介して接続された温度センサ１１３から感知信号を入力されて測定値を算出した後、測定された温度をＬＣＤからなる温度表示部１６０に表示する。もし、センサバー１１０が引き入れられるとセンサバースライダー１２０とセンサバー接続部１４０が分離されることによって導通接点１２４が電源接点１４３と分離されて電源がオフにされ、これによりバッテリの消耗を防止できる。
【００２９】
［電子式塩分計］
図１１は本発明による安全ピン型電子式塩分計のセンサバーの一例であり、図１２は本発明による安全ピン型電子式塩分計のセンサバー接続部の一例であり、図１３は本発明による安全ピン型電子式塩分計の構成ブロック図である。
【００３０】
本発明によって塩度を測定するためのセンサバー２１０は図１１に図示するように、バー２１１の尖部２１０ａに拡大図のように絶縁体２１３を介在して導電性金属からなる電極２１２、２１４が連結されており、尖部電極２１４内に温度センサ２１５がサーマルクリーム２１６と共に内蔵されている。したがって、塩度測定のためのセンサバー２１０を測定対象物に投入すると熱伝導性電極１１２によって温度センサ２１５に熱が速かに伝達されるとともに、絶縁材２１３によりバー２１１との熱伝逹が遮断されるので温度センサ２１５は測定対象物との熱平衡状態に速かに到達して温度を迅速かつ正確に感知できる。また、第１電極２１４と第２電極２１２との間には交流信号が印加されて流れる電流によって塩度を測定することができる。
【００３１】
電子式塩分計のセンサバースライダー２２０は図１１に図示するように、塩度センサバー２１０の端部に一体に付着された本体２２２に移動磁石２２３、電源導通接点２２４、温度センサ接点２２５、及び電極接点２２６が設置され、本体２２２の反対側にはノブ２２１がハウジングのガイド溝を介在して付着されて塩度センサバー２１０をガイド溝に沿ってスライドさせることができるとともに、測定位置でセンサバー接続部２４０と接触するようになっている。
【００３２】
センサバー接続部２４０は図１２に図示するように、ハウジングの隔壁３３にインサート射出成形方式を用いて形成されており、センサバースライダー２２０の構造に対応して基板２４１に測定位置固定磁石２４２、電源接点２４３、温度センサ接点２４４、及び電極接点２４５が露出している。
【００３３】
したがって、塩度センサバー２１０が測定位置に位置すると、移動磁石２２３と測定位置固定磁石２４２が互いに引き付け合って導通接点２２４が電源接点２４３の間を導通させて電源をオンにし、温度センサ接点２２５が温度センサ接点２４４と接触して電極接点２２６、２４５が互いに連結され温度センサ２１５の信号と電極２１２、２１４との間を流れる電流を塩度測定部２５０に伝達させる。
【００３４】
本発明による電子式塩分計２００は、図１１乃至１３に図示するように、尖部２１０ａに温度測定のための温度センサ２２５と塩度測定のための電極２１２、２１４が設置されたピン型の塩度センサバー２１０と、塩度センサバー２１０の尖部の反対側に一体に連結されて塩度センサバー２１０をスライドさせセンサバー２１０の温度センサ信号と電極信号を回路側に接続させるためのセンサバースライダー２２０と、センサバー２１０を収容するための空間３１とスライド溝３４が形成されてセンサバースライダー２２０によるセンサバー２１０の引き入れ、及び引き出しを行うことができ、センサバー２１０を収容するための空間と隔壁３３によって分離されて回路素子を収容するための防水空間３２を具備するハウジング３０と、隔壁に設置されてセンサバースライダー２２０と接触されるセンサバー接続部２４０と、センサバースライダー２２０とセンサバー接続部２４０が接触すると電源部７０の電源を入力されてオンになってセンサバー接続部２４０とセンサバースライダー２２０とを介してセンサバーの温度センサ２１５及び電極２１２、２１４と連結されて温度センサ２１５が感知した感知値と電極２１２、２１４の電流値を処理して塩度を算出する塩度測定部２５０と、塩度測定部２５０の測定塩度値を表示する塩度表示部２６０と、から構成される。
【００３５】
このような本発明の電子式塩分計２００は、センサバー２１０が引き出されて測定位置に位置すると、図１３に図示するように、バッテリ電源７２が電源部７０でＶｃｃ電源に安定化した後、電源接点２４３と導通接点２２４を介して塩度測定部２５０に印加されて塩度測定部２５０がオンになり、塩度測定部２５０は温度センサ接点２２４、２４４を介して接続された温度センサ２１５から感知信号を入力されて電極接点２２６、２４５を介して電極間の電流値を感知した後、塩度値を算出して測定された塩度をＬＣＤからなる塩度表示部２６０に表示する。もし、塩度センサバー２１０が引き入れられるとセンサバースライダー２２０とセンサバー接続部２４０が分離されることによって導通接点２２４が電源接点２４３と分離されて電源がオフになり、これによりバッテリの消耗を防止できる。
【００３６】
以上、本発明は図面に図示された実施の形態を参照して説明されたが、本発明が属する技術分野の通常の知識を有する者であれば、本発明によって多様な変型及び均等な他の実施の形態を行うことが可能であることを理解できるはずである。
【符号の説明】
【００３７】
１０  センサバー
２０  センサバースライダー
３０  ハウジング
４０  センサバー接続部
５０  測定部
６０  表示部
７０  電源部
【図１】
2011022127.tif 000003
【図２】
2011022127.tif 000004
【図３】
2011022127.tif 000005
【図４】
2011022127.tif 000006
【図５】
2011022127.tif 000007
【図６】
2011022127.tif 000008
【図７】
2011022127.tif 000009
【図８】
2011022127.tif 000010
【図９】
2011022127.tif 000011
【図１０】
2011022127.tif 000012
【図１１】
2011022127.tif 000013
【図１２】
2011022127.tif 000014
【図１３】
2011022127.tif 000015